【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥによって所望されるシステム情報（ＳＩ）が現在ブロードキャストされていないと決定することと、
前記決定に応答して、前記ＳＩを要求するための第１のインジケーションを送ることと、
前記ＵＥがある時間期間の間前記要求されたＳＩを受信していないことに応答して、前記時間期間後に前記ＵＥが前記要求されたＳＩを受信していないことを示すための第２のインジケーションを送ることと、ここにおいて、前記時間期間は、前記第１のインジケーションに応答する前記時間期間の間の前記要求されたＳＩの送信の予期される複数のインスタンスに基づいて前記時間期間の間に前記要求されたＳＩを受信しようとする複数の試行の設定された回数に対応する
を備える、方法。
【請求項２】
前記第１のインジケーションはまた、前記要求されたＳＩがオンデマンドで利用可能であるという決定に応答して送られる、請求項１に記載の方法。
【請求項３】
前記予期される複数のインスタンスは、予めスケジューリングされたサブフレーム中で生じる、請求項１に記載の方法。
【請求項４】
前記複数の試行の前記設定された回数を受信、シグナリング、および示すことをさらに備える、請求項１に記載の方法。
【請求項５】
前記第１のインジケーションは、指定されたランダムアクセスチャネル（ＲＡＣＨ）送信を介して送られる、請求項１に記載の方法。
【請求項６】
前記第２のインジケーションは、前記第１のインジケーションと同じ方式で送られる、請求項１に記載の方法。
【請求項７】
前記第２のインジケーションは、前記要求されたＳＩの再送信を要求するために、指定されたＲＡＣＨ送信または物理アップリンク制御チャネル（ＰＵＣＣＨ）上での否定応答（ＮＡＣＫ）として送られる、請求項１に記載の方法。
【請求項８】
前記ＵＥが前記要求されたＳＩを受信することに応答して、前記要求されたＳＩの受信を確認するための第３のインジケーションを送信することをさらに備え、
前記第３のインジケーションは、肯定応答（ＡＣＫ）として送られる、請求項１に記載の方法。
【請求項９】
ネットワークエンティティによるワイヤレス通信のための方法であって、
１つまたは複数のユーザ機器（ＵＥ）から、システム情報（ＳＩ）を求める要求として第１のインジケーションを受信することと、
前記第１のインジケーションに応答して前記要求されたＳＩを送信することと、
ある時間期間後に前記１つまたは複数のＵＥのうちの少なくとも１つが前記要求されたＳＩを受信していないと決定するための第２のインジケーションについてモニタすることと、ここにおいて、前記時間期間は、前記時間期間の間の前記要求されたＳＩの複数の送信の設定された回数に対応する、
前記モニタすることに基づいて、前記要求されたＳＩを送信し続けるかどうかを決めることと
を備える、方法。
【請求項１０】
前記設定された回数の送信は、予めスケジューリングされたサブフレーム中で生じる、請求項９に記載の方法。
【請求項１１】
前記要求されたＳＩを送信する試行回数を示すシグナリングを送信することをさらに備える、請求項９に記載の方法。
【請求項１２】
複数の送信の前記設定された回数でカウンタを初期化することと、
各ＳＩ送信で前記カウンタをデクリメントすることと、ここにおいて、前記要求されたＳＩを送信し続けるかどうかを前記決めることは、前記カウンタに基づく、
をさらに備える、請求項９に記載の方法。
【請求項１３】
前記決めることは、前記カウンタが０に達した場合に前記要求されたＳＩの送信を停止することを決めること、または、前記１つまたは複数のＵＥの各々が前記要求されたＳＩを受信することを肯定応答した場合に、前記カウンタが０に達する前に前記要求されたＳＩの送信を停止することを決めることを備える、請求項１２に記載の方法。
【請求項１４】
前記要求されたＳＩを受信していない前記１つまたは複数のＵＥのうちの少なくとも１つから前記ネットワークエンティティが否定応答（ＮＡＣＫ）を受信する場合に、タイマを再初期化すること
をさらに備える、請求項１２に記載の方法。
【請求項１５】
請求項１乃至請求項８または請求項９乃至請求項１４の何れかに従った方法を実行するための手段を備える、ワイヤレス通信のための装置。
【手続補正２】
【補正対象書類名】明細書
【補正対象項目名】００９３
【補正方法】変更
【補正の内容】
【００９３】
[0105]特許請求の範囲は、上記に例示されたまさにその構成およびコンポーネントに限定されないことが理解されるべきである。様々な修正、変更、および変形が、特許請求の範囲から逸脱することなしに、上述された方法および装置の配置、動作および詳細においてなされ得る。
以下に本願の出願当初の特許請求の範囲に記載された発明を付記する。
［Ｃ１］
ユーザ機器（ＵＥ）によるワイヤレス通信のための方法であって、
前記ＵＥによって所望されるシステム情報（ＳＩ）が現在ブロードキャストされていないと決定することと、
前記決定に応答して、前記ＳＩを要求するための第１のインジケーションを送ることと、
前記要求されたＳＩの受信を確認するための、またはある時間期間後に前記ＵＥが前記要求されたＳＩを受信していないことを示すための第２のインジケーションを送ることと  を備える、方法。
［Ｃ２］
前記第１のインジケーションはまた、前記要求されたＳＩがオンデマンドで利用可能であるという決定に応答して送られる、Ｃ１に記載の方法。
［Ｃ３］
前記時間期間は、前記第１のインジケーションに応答する前記要求されたＳＩの送信の予期されるインスタンスに基づいて前記要求されたＳＩを受信しようとする設定された試行回数に対応する、Ｃ１に記載の方法。
［Ｃ４］
前記予期されるインスタンスは、予めスケジューリングされたサブフレーム中で生じる、Ｃ３に記載の方法。
［Ｃ５］
前記設定された試行回数を受信、シグナリング、および示すことをさらに備える、Ｃ３に記載の方法。
［Ｃ６］
前記第１のインジケーションは、指定されたランダムアクセスチャネル（ＲＡＣＨ）送信を介して送られる、Ｃ１に記載の方法。
［Ｃ７］
前記第２のインジケーションは、前記第１のインジケーションと同じ方式で送られる、Ｃ１に記載の方法。
［Ｃ８］
前記第２のインジケーションが、前記時間期間後に前記ＵＥが前記要求されたＳＩを受信していないことを示すためのものである場合、
前記第２のインジケーションは、前記要求されたＳＩの再送信を要求するために、指定されたＲＡＣＨ送信または物理アップリンク制御チャネル（ＰＵＣＣＨ）上での否定応答（ＮＡＣＫ）として送られる、Ｃ１に記載の方法。
［Ｃ９］
前記第２のインジケーションが前記要求されたＳＩの受信を確認するためのものである場合、
前記第２のインジケーションは、指定されたＲＡＣＨ送信または物理アップリンク制御チャネル（ＰＵＣＣＨ）上での肯定応答（ＡＣＫ）として送られる、Ｃ１に記載の方法。
［Ｃ１０］
ブロードキャストメッセージ中で、前記要求されたＳＩがいつ送信されることになるかを示すシグナリングを受信すること
をさらに備える、Ｃ１に記載の方法。
［Ｃ１１］
ネットワークエンティティによるワイヤレス通信のための方法であって、
１つまたは複数のユーザ機器から、システム情報（ＳＩ）を求める要求として第１のインジケーションを受信することと、
前記第１のインジケーションに応答して前記要求されたＳＩを送信することと、
１つまたは複数のＵＥによる前記要求されたＳＩの受信を確認するための、またはある時間期間後に前記１つまたは複数のＵＥのうちの少なくとも１つが前記要求されたＳＩを受信していないと決定するための第２のインジケーションについてモニタすることと、  前記モニタすることに基づいて、前記要求されたＳＩを送信し続けるかどうかを決めることと
を備える、方法。
［Ｃ１２］
前記時間期間は、前記要求されたＳＩの設定された送信回数に対応する、Ｃ１１に記載の方法。
［Ｃ１３］
前記設定された回数の送信は、予めスケジューリングされたサブフレーム中で生じる、Ｃ１２に記載の方法。
［Ｃ１４］
試行回数を示すシグナリングを送信することをさらに備える、Ｃ１２に記載の方法。
［Ｃ１５］
前記設定された送信回数でカウンタを初期化することと、
各ＳＩ送信で前記カウンタをデクリメントすることと、ここにおいて、前記要求されたＳＩを送信し続けるかどうかを前記決めることは、前記カウンタに基づく、
をさらに備える、Ｃ１２に記載の方法。
［Ｃ１６］
前記決めることは、前記カウンタが０に達した場合に前記要求されたＳＩの送信を停止することを決めることを備える、Ｃ１５に記載の方法。
［Ｃ１７］
前記決めることは、前記１つまたは複数のＵＥの各々が前記要求されたＳＩを受信することを肯定応答した場合に、前記カウンタが０に達する前に前記要求されたＳＩの送信を停止することを決めることを備える、Ｃ１６に記載の方法。
［Ｃ１８］
前記要求されたＳＩを受信していない前記１つまたは複数のＵＥのうちの少なくとも１つから前記ネットワークエンティティが否定応答（ＮＡＣＫ）を受信する場合に、タイマを再初期化すること
をさらに備える、Ｃ１５に記載の方法。
［Ｃ１９］
前記第１のインジケーションは、指定されたランダムアクセスチャネル（ＲＡＣＨ）送信を介して受信される、Ｃ１１に記載の方法。
［Ｃ２０］
前記第２のインジケーションは、指定されたランダムアクセスチャネル（ＲＡＣＨ）送信または物理アップリンク制御チャネル（ＰＵＣＣＨ）送信のうちの少なくとも１つを介して送られる、Ｃ１１に記載の方法。
［Ｃ２１］
ブロードキャストメッセージ中で前記要求されたＳＩがいつ送信されることになるかを示すことをさらに備える、Ｃ１１に記載の方法。